(57)【要約】      （修正有）【課題】簡易な構成で効果的に雑草の繁殖を抑制することができる路面用排水溝を提供する。【解決手段】路面内部に埋設され上部に樋部１２が形成された金属製のグレーチング枠体１１を備えた路面用排水溝１０であって、グレーチング枠体の少なくとも一側の側壁部１４の長手方向に沿って傾斜部２５を有する断面Ｎ字状の雑草抑制部２０が一体に形成されている。雑草抑制部２０は、垂直に立設された第１垂直部２２と、第１垂直部に対向する第２垂直部２３と、第１垂直部の上端から第２垂直部の下端へ向かって傾斜して設けられた傾斜部２５とを有する断面Ｎ字状の雑草抑制プレート２１を備え、雑草抑制プレートの第２垂直部をグレーチング枠体の側壁部の長手方向に沿って接合することによって形成されていてもよい。【選択図】図１
0003191835.tif 000002
【実用新案登録請求の範囲】
【請求項１】
路面内部に埋設され上部に樋部が形成された金属製のグレーチング枠体を備えた路面用排水溝であって、前記グレーチング枠体の少なくとも一側の側壁部の長手方向に沿って傾斜部を有する断面Ｎ字状の雑草抑制部が一体に形成されていることを特徴とする路面用排水溝。
【請求項２】
前記雑草抑制部が、垂直に立設された第１垂直部と、該第１垂直部に対向する第２垂直部と、前記第１垂直部の上端から前記第２垂直部の下端へ向かって傾斜して設けられた前記傾斜部とを有する断面Ｎ字状の雑草抑制プレートを備え、前記雑草抑制プレートの前記第２垂直部を前記グレーチング枠体の側壁部の長手方向に沿って接合することによって形成されている請求項１に記載の路面排水溝。
【請求項３】
前記雑草抑制プレートと前記グレーチング枠体の側壁部との接合部がメッキ部によって覆われている請求項２に記載の路面用排水溝。
【請求項４】
前記雑草抑制プレートの前記第１垂直部の内側面と、前記傾斜部の裏面との間に補強板が架設されている請求項２又は３に記載の路面用排水溝。
【請求項５】
前記雑草抑制プレートの前記第１垂直部の下端が前記第２垂直部の下端より下方に延設された嵩上げ壁部からなり、前記傾斜部の下端部に当接するとともに、前記嵩上げ壁部と前記グレーチング枠体の側壁部との間に補強板が架設されている請求項２又は３に記載の路面用排水溝。
【請求項６】
前記雑草抑制プレートの下部の前記グレーチング枠体の側壁部に高さ調節部材が配置されている請求項２又は３に記載の路面用排水溝。
【請求項７】
前記高さ調節部材が角パイプである請求項６に記載の路面用排水溝。
【請求項８】
前記グレーチング枠体の両側の側壁部の長手方向に沿って前記雑草抑制部が一体に形成されている請求項１ないし７のいずれかに記載の路面用排水溝。
【請求項９】
前記傾斜部の傾斜角度が、前記第１垂直部に対して４０°〜７５°である請求項２ないし８のいずれかに記載の路面用排水溝。
【考案の詳細な説明】
【技術分野】
【０００１】
本考案は、道路や駐車場等の路面に埋設される路面用排水溝に関する。
【背景技術】
【０００２】
近年、道路等の路面表面の水はけ性をよくするために、透水性のあるアスファルト等で形成した透水性舗装が多用されている。このような透水性舗装にあっては、路面の雨水等は路面上面を流れるとともに舗装部内に浸透して、排水溝水路に集水されて排水される。
【０００３】
この種の排水溝水路の構造では、上部に樋部が形成された筒状の流水部と、流水部の樋部に取り付けられる蓋部とを備えた金属製の路面用排水溝を路面内部に配設することで、路面表面から雨水等を集水すると同時に、透水性舗装部内に浸透した水を導入する構造が知られている（例えば、特許文献１参照）。この路面用排水溝は、加工が容易で耐久性に優れており、コンクリート製品に比して軽量であるから現場での作業性を簡略化でき、蓋部の脱着が可能で点検清掃や交換を簡単かつ効率よく実施することができる。
【０００４】
しかるに、路面用排水溝が埋設された路面では、舗装部分や縁石等と路面用排水溝との境界部分に経年変化によりわずかな隙間が生じ、その隙間に植物の種子が進入することで雑草が繁殖することがある。このように雑草が繁殖すると、景観が悪化するとともに、路上の見通しが悪くなって危険が増すため、定期的に草刈りを行う等の繁雑な管理が必要であった。
【先行技術文献】
【特許文献】
【０００５】
【特許文献１】特許第３９３０８２６号
【考案の概要】
【考案が解決しようとする課題】
【０００６】
本考案は前記の点に鑑みなされたものであり、簡易な構成で効果的に雑草の繁殖を抑制することができる路面用排水溝を提供するものである。
【課題を解決するための手段】
【０００７】
すなわち、請求項１の考案は、路面内部に埋設され上部に樋部が形成された金属製のグレーチング枠体を備えた路面用排水溝であって、前記グレーチング枠体の少なくとも一側の側壁部の長手方向に沿って傾斜部を有する断面Ｎ字状の雑草抑制部が一体に形成されていることを特徴とする路面用排水溝に係る。
【０００８】
請求項２の考案は、前記雑草抑制部が、垂直に立設された第１垂直部と、該第１垂直部に対向する第２垂直部と、前記第１垂直部の上端から前記第２垂直部の下端へ向かって傾斜して設けられた前記傾斜部とを有する断面Ｎ字状の雑草抑制プレートを備え、前記雑草抑制プレートの前記第２垂直部を前記グレーチング枠体の側壁部の長手方向に沿って接合することによって形成されている請求項１に記載の路面排水溝に係る。
【０００９】
請求項３の考案は、前記雑草抑制プレートと前記グレーチング枠体の側壁部との接合部がメッキ部によって覆われている請求項２に記載の路面用排水溝に係る。
【００１０】
請求項４の考案は、前記雑草抑制プレートの前記第１垂直部の内側面と、前記傾斜部の裏面との間に補強板が架設されている請求項２又は３に記載の路面用排水溝に係る。
【００１１】
請求項５の考案は、前記雑草抑制プレートの前記第１垂直部の下端が前記第２垂直部の下端より下方に延設された嵩上げ壁部からなり、前記傾斜部の下端部に当接するとともに、前記嵩上げ壁部と前記グレーチング枠体の側壁部との間に補強板が架設されている請求項２又は３に記載の路面用排水溝に係る。
【００１２】
請求項６の考案は、前記雑草抑制プレートの下部の前記グレーチング枠体の側壁部に高さ調節部材が配置されている請求項２又は３に記載の路面用排水溝に係る。
【００１３】
請求項７の考案は、前記高さ調節部材が角パイプである請求項６に記載の路面用排水溝に係る。
【００１４】
請求項８の考案は、前記グレーチング枠体の両側の側壁部の長手方向に沿って前記雑草抑制部が一体に形成されている請求項１ないし７のいずれかに記載の路面用排水溝に係る。
【００１５】
請求項９の考案は、前記傾斜部の傾斜角度が、前記第１垂直部に対して４０°〜７５°である請求項２ないし８のいずれかに記載の路面用排水溝に係る。
【考案の効果】
【００１６】
請求項１の考案に係る路面用排水溝は、路面内部に埋設され上部に樋部が形成された金属製のグレーチング枠体を備えた路面用排水溝であって、前記グレーチング枠体の少なくとも一側の側壁部の長手方向に沿って傾斜部を有する断面Ｎ字状の雑草抑制部が一体に形成されているため、極めて簡易な構成で雑草の成長や繁殖を抑制することができる。
【００１７】
請求項２の考案は、請求項１において、前記雑草抑制部が、垂直に立設された第１垂直部と、該第１垂直部に対向する第２垂直部と、前記第１垂直部の上端から前記第２垂直部の下端へ向かって傾斜して設けられた前記傾斜部とを有する断面Ｎ字状の雑草抑制プレートを備え、前記雑草抑制プレートの前記第２垂直部を前記グレーチング枠体の側壁部の長手方向に沿って接合することによって形成されているため、極めて簡易な加工作業によって雑草抑制部を形成することができる。
【００１８】
請求項３の考案は、請求項２において、前記雑草抑制プレートと前記グレーチング枠体の側壁部との接合部がメッキ部によって覆われているため、雑草抑制プレートとグレーチング枠体とをより強固に接合させることが可能となるとともに、接合部の隙間の発生を防止してこの隙間からの雑草の成長を抑制することが可能となる。
【００１９】
請求項４の考案は、請求項２又は３において、前記雑草抑制プレートの前記第１垂直部の内側面と、前記傾斜部の裏面との間に補強板が架設されているため、雑草抑制部の強度を向上させて変形を抑制することができる。
【００２０】
請求項５の考案は、請求項２又は３において、前記雑草抑制プレートの前記第１垂直部の下端が前記第２垂直部の下端より下方に延設された嵩上げ壁部からなり、前記傾斜部の下端部に当接するとともに、前記嵩上げ壁部と前記グレーチング枠体の側壁部との間に補強板が架設されているため、設置場所等に関係なく傾斜部の路面上面からの位置（深さ）を常に同一として安定した雑草抑制効果を得ることが可能となるとともに、雑草抑制部の強度を向上させて変形を抑制することができる。
【００２１】
請求項６の考案は、請求項２又は３において、前記雑草抑制プレートの下部の前記グレーチング枠体の側壁部に高さ調節部材が配置されているため、設置場所等に関係なく傾斜部の路面上面からの位置（深さ）を常に同一として安定した雑草抑制効果を得ることが可能となる。
【００２２】
請求項７の考案は、請求項６において、前記高さ調節部材が角パイプであるため、極めて容易に高さ調節部材を設けることが可能となる。
【００２３】
請求項８の考案は、請求項１ないし７において、前記グレーチング枠体の両側の側壁部の長手方向に沿って前記雑草抑制部が一体に形成されているため、路面用排水溝の両側における雑草の繁殖を効果的に抑制することができて、景観や見通しの悪化を抑制して極めて良好な環境を容易に整えることが可能となる。
【００２４】
請求項９の考案は、請求項２ないし８において、前記傾斜部の傾斜角度が、前記第１垂直部に対して４０°〜７５°であるため、より容易に加工することが可能であるとともに、良好な雑草抑制効果を得ることできる。
【図面の簡単な説明】
【００２５】
【図１】本考案の一実施例に係る路面用排水溝の斜視図である。
【図２】図１の路面用排水溝の上面図である。
【図３】一側に雑草抑制部が形成された路面用排水溝の設置例を表す断面図ある。
【図４】図１のグレーチング枠体の断面図である。
【図５】両側に雑草抑制部が形成された路面用排水溝の設置例を表す断面図ある。
【図６】第１実施例に係る路面用排水溝の断面図である
【図７】第２実施例に係る路面用排水溝の断面図である。
【図８】第３実施例に係る路面用排水溝の断面図である。
【図９】第４実施例に係る路面用排水溝の断面図である。
【図１０】第５実施例に係る路面用排水溝の断面図である
【図１１】第６実施例に係る路面用排水溝の断面図である。
【図１２】第７実施例に係る路面用排水溝の断面図である。
【図１３】第８実施例に係る路面用排水溝の断面図である。
【図１４】縁石ブロック側に雑草抑制部が形成された路面用排水溝の設置例を表す断面図である。
【考案を実施するための形態】
【００２６】
図１〜図３に示す本考案の一実施例に係る路面用排水溝１０は、道路や駐車場等に用いられる透水性舗装部等の路面Ｒ内に埋設されて路面Ｒ表面から雨水等を集水するとともに、路面Ｒ内に浸透した水を導入するグレーチング枠体１１を備える。図３において、符号Ｂは縁石ブロック、Ｍ１はコンクリート層、Ｍ２は基礎材層、Ｒ１は透水性舗装部Ｒの密粒度アスファルト層、Ｒ２は透水性舗装部Ｒの粗粒度アスファルト層、Ｒ３は透水性舗装部Ｒの砕石層、Ｒｒは縁石ブロックＢの反対側となる車道側の路面を表す。
【００２７】
グレーチング枠体１１は、図１〜図４に示すように、路面Ｒ内部に埋設され、上部に路面Ｒからの雨水等を集水する樋部１２が形成されて適宜の配水管等へ排水する鋼板等の金属板からなる金属製の筒状体である。実施例のグレーチング枠体１１は、底部を構成する底板部１３と、底板部１３の両端辺に対向して立設される側壁部１４（１４ａ，１４ｂ）とによって断面略倒コ字状に形成され、上部にの樋部１２に溝蓋１５が設置される。図において、符号１２ａは後述する蓋部１５を樋部１２に固定するためのボルト等からなる取付部材である。
【００２８】
溝蓋１５は、図１〜図３に示すように、グレーチング枠体１１の樋部１２に取り付けられ、グレーチング枠体１１内への落ち葉やゴミ等の侵入を抑制する。実施例の蓋部１５は、長手方向に並設された断面Ｉ字状の主部材１６と、主部材１６に格子状に直交するねじり鋼等からなる補強部材１７と、グレーチング枠体１１内に立設可能とするための蓋脚部１８とからなり、グレーチング枠体１１の底板部１３に立設されて取付部材１２ａにより樋部１２に固定される。
【００２９】
この路面用排水溝１０は、図１〜図４に示すように、グレーチング枠体１１の少なくとも一側の側壁部１４の長手方向に沿って傾斜部２５を有する断面Ｎ字状の雑草抑制部２０が一体に形成されている。
【００３０】
雑草抑制部２０は、単一の金属板を公知の折曲げ加工を用いて形成したものであって、図３，４に示すように、垂直に立設された第１垂直部２２と、該第１垂直部２２に対向する第２垂直部２３と、第１垂直部２２の上端から第２垂直部２３の下端へ向かって傾斜して設けられた傾斜部２５とを有する断面Ｎ字状の雑草抑制プレート２１を備える。この雑草抑制部２０は、雑草抑制プレート２１の第２垂直部２３をグレーチング枠体１１の側壁部１４の長手方向に沿って接合される。
【００３１】
この雑草抑制部２０は、傾斜部２５の傾斜により、植物の屈光性や屈地性を利用して植物（雑草）の成長及び繁殖を抑制する。ここで、植物の屈光性や屈地性による性質を説明すると、植物は光刺激や重力刺激により植物の葉や茎、根等が所定方向に屈曲するものであり、特に、葉や茎は上方に成長して下方には成長せず、根は下方に成長して上方には成長しないことが知られている。そこで、側壁部１４に傾斜部２５を有する雑草抑制部２０を設けることで、植物の葉や茎、根等の成長を阻害して、植物の繁殖を抑制することができる。すなわち、雑草抑制プレート２１の第１垂直部２２と路面Ｒとの隙間から伸びる雑草においては、葉や茎が第１垂直部２２の上端からさらに成長する場合に、傾斜部２５により本来の成長方向（上方向）とは逆方向の下方側へ誘導される。一方、グレーチング枠体１１の側壁部１４または雑草抑制プレート２１の第２垂直部２３と路面Ｒとの隙間から伸びる雑草においては、根が第２垂直部２３の下端からさらに成長する場合に、傾斜部２５により本来の成長方向（下方向）とは逆方向の上方側へ誘導される。このように、雑草抑制部２０の傾斜部２５によって、葉や茎、根等の成長を本来とは逆方向に誘導することで、雑草の成長を自然に抑制して繁殖を抑制することが可能となる。
【００３２】
この雑草抑制部２０において、傾斜部２５の傾斜角度は、加工が容易で良好な雑草抑制効果を得る観点から、第１垂直部２２に対して４０°〜７５°である。傾斜角度が４０°未満である場合、第１垂直部２２と傾斜部２５の折り曲げ角度及び傾斜部２５と第２垂直部２３との折り曲げ角度が鋭角になり過ぎて加工が困難となる。一方、傾斜角度が７５°より大きい場合、傾斜が緩やかで屈光性や屈地性による雑草の成長を十分に妨げることが困難となる。なお、実施例の傾斜角度は、４７．９°である。
【００３３】
また、雑草抑制部２０では、雑草抑制プレート２１とグレーチング枠体１１の側壁部１４との接合部２６がメッキ部２７によって覆われている。メッキ部２７は、公知の溶融亜鉛メッキ処理によって形成される。メッキ部２７を形成することにより、雑草抑制プレート２１とグレーチング枠体１１とをより強固に接合させることが可能となるとともに、接合部２６の隙間の発生を防止してこの隙間からの雑草の成長を抑制することが可能となる。さらに、溶融亜鉛メッキ処理に際しては、金属板からなる雑草抑制プレート２１やグレーチング枠体１１が加熱されることにより強化されて強度が向上する。そこで、当該路面用排水溝１０の全体に溶融亜鉛メッキ処理を施して全体の強度を向上させることもできる。
【００３４】
さらに、雑草抑制部２０は、図５に示すように、グレーチング枠体１１の両側の側壁部１４ａ，１４ｂに形成して路面Ｒに埋設することも可能である。グレーチング枠体１１の両側に雑草抑制部２０を形成して路面Ｒ内に埋設した場合、図示のように、他側（縁石ブロックＢ側）の側壁部１４に形成された雑草抑制部２０では、第１垂直部２２がコンクリート層Ｍ１に当接するように配置される。なお、図の符号Ｒｂは縁石ブロックＢ側の路面である。
【００３５】
次に、図６〜１２等を用いて、路面用排水溝１０の様々なバリエーションについて説明する。なお、以下の説明において同一符号は同一の構成を表すものとして説明を省略する。また、以下の実施例では、グレーチング枠体１１の一側を車道Ｒｒ側（縁石ブロックＢと反対側）、他側を縁石ブロックＢ側とする。
【００３６】
図６に示す第１実施例に係る路面用排水溝１０Ａは、グレーチング枠体１１の一側の側壁部１４ａに傾斜部２５を有する雑草抑制部２０が一体に形成され、補強板３０と、取付固定部４０とを備える。
【００３７】
補強板３０は、図６に示すように、雑草抑制プレート２１の第１垂直部２２の内側面２２ａと、傾斜部２５の裏面２５ａとの間に公知の溶接等により固着されて架設されている。また、図１，２に示すように、グレーチング枠体１１の長手方向の複数箇所に設けられている。この補強板３０にあっては、第１垂直部２２の内側面２２ａと傾斜部２５の裏面２５ａとの間に架設されることにより傾斜部２５を下側から支持するため、雑草抑制部２０の強度が向上して、路面Ｒに車の通過等により荷重が加わった場合の雑草抑制部２０の変形を抑制することができる。
【００３８】
取付固定部４０は、図１，２，６に示すように、雑草抑制プレート２１の第１垂直部２２下部が公知の折り曲げ加工等により外側に延設された固定板部４１と、該固定板部４１に複数箇所に設けられた固定穴部４２とを有し、アンカーボルト等の固定部材（図示せず）が固定穴部４２に挿通されて路面Ｒ内にグレーチング枠体１１を固定する。また、必要に応じて、取付固定部４０の反対側のグレーチング枠体１１の他側の側壁部１４ｂ下部の複数個所に断面略Ｌ字状の第２取付固定部４３を設けてもよい。
【００３９】
この路面用排水溝１０Ａでは、車道Ｒｒ側（縁石ブロックＢの反対側）に雑草抑制部２０が配置されていることにより、車道Ｒｒ側の路面Ｒと路面用排水溝１０Ａの樋部１２との間における雑草の繁殖を効果的に抑制することができる。また、補強板３０により、雑草抑制部２０の変形を効果的に抑制することができる。
【００４０】
図７に示す第２実施例に係る路面用排水溝１０Ｂは、グレーチング枠体１１の両側（縁石ブロックＢ側と車道Ｒｒ側）の側壁部１４ａ，１４ｂに傾斜部２５を有する雑草抑制部２０，２０がそれぞれ一体に形成され、各雑草抑制部２０，２０に補強板３０，３０と、取付固定部４０，４０とを備える。この路面用排水溝１０Ｂでは、縁石ブロックＢと路面用排水溝１０Ｂの樋部１２との間の路面Ｒｂと、路面用排水溝１０Ｂの樋部１２と車道との間の路面Ｒｒとの双方における雑草の繁殖を効果的に抑制することができて、景観や見通しの悪化を抑制して極めて良好な環境を容易に整えることが可能となる。また、両側の雑草抑制部２０，２０にそれぞれ補強板３０，３０が架設されることにより、双方の雑草抑制部２０，２０の変形を効果的に抑制することができる。
【００４１】
図８に示す第３実施例に係る路面用排水溝１０Ｃは、グレーチング枠体１１の一側の側壁部１４ａに傾斜部２５を有する雑草抑制部２０が一体に形成され、取付固定部４５を備える。取付固定部４５は、雑草抑制プレート２１の長手方向に沿って第１垂直部２２下部と第２垂直部２３下部との間に架設された固定板部４６と、該固定板部４６に複数箇所に設けられた固定穴部（図示せず）とを有し、アンカーボルト等の固定部材（図示せず）が固定穴部に挿通されて路面Ｒ内にグレーチング枠体１１を固定する。この路面用排水溝１０Ｃでは、車道Ｒｒ側（縁石ブロックＢの反対側）に雑草抑制部２０が配置されていることにより、車道Ｒｒ側の路面Ｒと路面用排水溝１０Ｃの樋部１２との間における雑草の繁殖を効果的に抑制することができる。
【００４２】
図９に示す第４実施例に係る路面用排水溝１０Ｄは、グレーチング枠体１１の両側（縁石ブロックＢ側と車道Ｒｒ側）の側壁部１４ａ，１４ｂに傾斜部２５を有する雑草抑制部２０，２０がそれぞれ一体に形成され、各雑草抑制部２０，２０に取付固定部４５，４５を備える。この路面用排水溝１０Ｄでは、縁石ブロックＢと路面用排水溝１０Ｂの樋部１２との間の路面Ｒｂと、路面用排水溝１０Ｄの樋部１２と車道との間の路面Ｒｒとの双方における雑草の繁殖を効果的に抑制することができて、景観や見通しの悪化を抑制して極めて良好な環境を容易に整えることが可能となる。
【００４３】
図１０に示す第５実施例に係る路面用排水溝１０Ｅは、グレーチング枠体１１の一側の側壁部１４ａに傾斜部２５を有する雑草抑制部２０が一体に形成され、嵩上げ壁部２４と、補強板３５と、取付固定部４０と、縁石載置部材５０とを備える。
【００４４】
嵩上げ壁部２４は、雑草抑制プレート２１の第１垂直部２２の下端を第２垂直部２３の下端より下方に延設して形成した部位であり、傾斜部２５の位置（高さ）を調整可能とするものである。特に、設置場所等に応じて様々な大きさ（側壁部１４の高さ）の路面用排水溝１０が設置される場合、嵩上げ壁部２４の延設長さ（高さ）をグレーチング枠体１１の大きさ（側壁部１４の高さ）に応じて適宜調整すれば、グレーチング枠体１１の大きさ（側壁部１４の高さ）に関わらず傾斜部２５の路面Ｒ上面からの位置（深さ）を略等しく設定することができる。これにより、設置場所等に関係なく傾斜部２５の路面Ｒ上面からの位置（深さ）を常に同一とすることができ、安定した雑草抑制効果を得ることが可能となる。なお、第１垂直部２２の下端を下方に延設して形成された嵩上げ壁部２４の下部には取付固定部４０が形成されている。
【００４５】
補強板３５は、図１０に示すように、傾斜部２５の下端部に当接するとともに、嵩上げ壁部２４とグレーチング枠体１１の側壁部１４（１４ａ）との間に公知の溶接等により固着されて架設される。また、補強板３５は、補強板３０と同様にグレーチング枠体１１の長手方向の複数箇所に設けられている。この補強板３５では、傾斜部２５の下端部を下側から支持するとともに、嵩上げ壁部２４を側面から支持するため、雑草抑制部２０の強度が向上して、路面Ｒに車の通過等により荷重が加わった場合の雑草抑制部２０の変形を抑制することができる。
【００４６】
縁石載置部材５０は、図１０に示すように、路面Ｒに配設される縁石ブロックＢを載置するための部材であり、グレーチング枠体１１の一側の側壁部１４ａのみに雑草抑制部２０を設けた場合に、必要に応じて他側の側壁部１４ｂの長手方向に沿って形成される。実施例の縁石載置部材５０は、少なくとも縁石ブロックＢの一部が載置可能な略水平面の載置面５１を有する角パイプからなり、溶接等により他側の側壁部１４ｂに接合される。この接合部分には、公知の溶融亜鉛メッキ処理を施してもよい。また、角パイプからなる縁石載置部材５０の底部５２には、必要に応じて、雑草抑制プレート２１の長手方向の複数箇所にアンカーボルト等の固定部材のための固定穴部（図示せず）を形成して、グレーチング枠体１１を固定可能としてもよい。このように、縁石載置部材５０を設けることにより、縁石ブロックＢの設置を容易に行うことが可能となり、施工作業を簡便かつ効率的に行うことができる。
【００４７】
この路面用排水溝１０Ｅでは、嵩上げ壁部２４によって傾斜部２５の路面Ｒ上面からの位置（深さ）を常に同一として安定した雑草抑制効果を得ることができ、車道Ｒｒ側（縁石ブロックＢの反対側）に雑草抑制部２０が配置されていることにより、車道Ｒｒ側の路面Ｒと路面用排水溝１０Ａの樋部１２との間における雑草の繁殖を効果的に抑制することができる。また、補強板３５により、雑草抑制部２０の変形を効果的に抑制することができる。
【００４８】
図１１に示す第６実施例に係る路面用排水溝１０Ｆは、グレーチング枠体１１の両側（縁石ブロックＢ側と車道Ｒｒ側）の側壁部１４ａ，１４ｂに傾斜部２５を有する雑草抑制部２０，２０がそれぞれ一体に形成され、各雑草抑制部２０，２０に嵩上げ壁部２４，２４と、補強板３５，３５と、取付固定部４０，４０とを備える。この路面用排水溝１０Ｆでは、嵩上げ壁部２４によって傾斜部２５の路面Ｒ上面からの位置（深さ）を常に同一として安定した雑草抑制効果を得ることができ、縁石ブロックＢと路面用排水溝１０Ｆの樋部１２との間の路面Ｒｂと、路面用排水溝１０Ｂの樋部１２と車道との間の路面Ｒｒとの双方における雑草の繁殖を効果的に抑制することができて、景観や見通しの悪化を抑制して極めて良好な環境を容易に整えることが可能となる。また、両側の雑草抑制部２０，２０にそれぞれ補強板３５,３５が架設されることにより、双方の雑草抑制部２０，２０の変形を効果的に抑制することができる。
【００４９】
図１２に示す第７実施例に係る路面用排水溝１０Ｇは、グレーチング枠体１１の一側の側壁部１４ａに傾斜部２５を有する雑草抑制部２０が一体に形成され、縁石載置部材５０と、高さ調節部材６０とを備える。
【００５０】
高さ調節部材６０は、図１２に示すように、雑草抑制プレート２１の下部のグレーチング枠体１１の側壁部１４（１４ａ）に配置された部材であり、嵩上げ壁部２４と同様に傾斜部２５の位置（高さ）を調整可能とするものである。実施例の高さ調節部材６０は角パイプであり、略水平面の上面６１に雑草抑制プレート２１の第１垂直部２２の下端と傾斜部２５の下端（第２垂直部２３の下端）とが溶接等により接合される。また、角パイプからなる高さ調節部材６０の底部６２には、必要に応じて、雑草抑制プレート２１の長手方向の複数箇所にアンカーボルト等の固定部材のための固定穴部（図示せず）を形成して、グレーチング枠体１１を固定可能としてもよい。
【００５１】
この高さ調節部材６０では、特に、設置場所等に応じて様々な大きさ（側壁部１４の高さ）の路面用排水溝１０が設置される場合に、調節部材６０の高さをグレーチング枠体１１の大きさ（側壁部１４の高さ）に応じて適宜調整することで、グレーチング枠体１１の大きさ（側壁部１４の高さ）に関わらず傾斜部２５の路面Ｒ上面からの位置（深さ）を略等しく設定することができる。これにより、設置場所等に関係なく傾斜部２５の路面Ｒ上面からの位置（深さ）を常に同一とすることができ、安定した雑草抑制効果を得ることが可能となる。
【００５２】
この路面用排水溝１０Ｇでは、高さ調節部材６０によって傾斜部２５の路面Ｒ上面からの位置（深さ）を常に同一として安定した雑草抑制効果を得ることができ、車道Ｒｒ側（縁石ブロックＢの反対側）に雑草抑制部２０が配置されていることにより、車道Ｒｒ側の路面Ｒと路面用排水溝１０Ａの樋部１２との間における雑草の繁殖を効果的に抑制することができる。
【００５３】
図１３に示す第８実施例に係る路面用排水溝１０Ｈは、グレーチング枠体１１の両側（縁石ブロックＢ側と車道Ｒｒ側）の側壁部１４ａ，１４ｂに傾斜部２５を有する雑草抑制部２０，２０がそれぞれ一体に形成され、各雑草抑制部２０，２０に高さ調節部材６０，６０を備える。この路面用排水溝１０Ｈでは、高さ調節部材６０によって傾斜部２５の路面Ｒ上面からの位置（深さ）を常に同一として安定した雑草抑制効果を得ることができ、縁石ブロックＢと路面用排水溝１０Ｆの樋部１２との間の路面Ｒｂと、路面用排水溝１０Ｂの樋部１２と車道との間の路面Ｒｒとの双方における雑草の繁殖を効果的に抑制することができて、景観や見通しの悪化を抑制して極めて良好な環境を容易に整えることが可能となる。
【００５４】
以上図示し説明したように、本考案の路面用排水溝１０は、路面Ｒ内部に埋設され上部に樋部１２が形成された金属製のグレーチング枠体１１を備え、グレーチング枠体１１の少なくとも一側の側壁部１４の長手方向に沿って傾斜部２５を有する断面Ｎ字状の雑草抑制部２０が一体に形成されているため、極めて簡易な構成で雑草の成長や繁殖を抑制することができる。
【００５５】
特に、雑草抑制部２０が、垂直に立設された第１垂直部２２と、該第１垂直部２２に対向する第２垂直部２３と、第１垂直部２２の上端から第２垂直部２３の下端へ向かって傾斜して設けられた傾斜部２５とを有する断面Ｎ字状の雑草抑制プレート２１を備え、雑草抑制プレート２１の第２垂直部２３をグレーチング枠体１１の側壁部１４の長手方向に沿って接合することによって形成されているため、極めて簡易な加工作業によって雑草抑制部を形成することができる。そして、傾斜部２５の傾斜角度を第１垂直部２２に対して４０°〜７５°とすれば、より容易に加工することが可能であるとともに、良好な雑草抑制効果を得ることできる。
【００５６】
また、雑草抑制プレート２１とグレーチング枠体１１の側壁部１４との接合部２６をメッキ部２７によって覆うようにすれば、雑草抑制プレート２１とグレーチング枠体１１とをより強固に接合させることが可能となるとともに、接合部２６の隙間の発生を防止してこの隙間からの雑草の成長を抑制することが可能となる。
【００５７】
さらに、雑草抑制プレート２１の第１垂直部２２の内側面２２ａと、傾斜部２５の裏面２５ａとの間に補強板３０を架設すれば、傾斜部２５を下側から支持して雑草抑制部２０の強度を向上させることができ、路面Ｒに車の通過等により荷重が加わった場合の雑草抑制部２０の変形を抑制することができる。
【００５８】
加えて、雑草抑制プレート２１の第１垂直部２２の下端を第２垂直部２３の下端より下方に延設された嵩上げ壁部２４とし、傾斜部２５の下端部に当接させるとともに、嵩上げ壁部２４とグレーチング枠体１１の側壁部１４との間に補強板３５を架設すれば、嵩上げ壁部２４によりグレーチング枠体１１の大きさ（側壁部１４の高さ）に関わらず傾斜部２５の路面Ｒ上面からの位置（深さ）を略等しく設定することができるため、設置場所等に関係なく傾斜部２５の路面Ｒ上面からの位置（深さ）を常に同一として安定した雑草抑制効果を得ることが可能となり、補強板３５により傾斜部２５の下端部を下側から支持し嵩上げ壁部２４を側面から支持するため、雑草抑制部２０の強度が向上して路面Ｒに車の通過等により荷重が加わった場合の雑草抑制部２０の変形を抑制することができる。
【００５９】
また、雑草抑制プレート２１の下部のグレーチング枠体１１の側壁部１４に高さ調節部材６０を配置すれば、グレーチング枠体１１の大きさ（側壁部１４の高さ）に関わらず傾斜部２５の路面Ｒ上面からの位置（深さ）を略等しく設定することができるため、設置場所等に関係なく傾斜部２５の路面Ｒ上面からの位置（深さ）を常に同一として安定した雑草抑制効果を得ることが可能となる。そして、高さ調節部材６０を角パイプとすることで、極めて容易に高さ調節部材６０を設けることが可能となる。
【００６０】
さらに、グレーチング枠体１１の両側の側壁部１４ａ，１４ｂの長手方向に沿って雑草抑制部２０，２０を一体に形成すれば、路面用排水溝１０の両側（例えば、縁石ブロックＢ側と車道側）における雑草の繁殖を効果的に抑制することができて、景観や見通しの悪化を抑制して極めて良好な環境を容易に整えることが可能となる。
【００６１】
なお、本考案の路面用排水溝は、前述の実施例のみに限定されるものではなく、考案の趣旨を逸脱しない範囲において構成の一部を適宜に変更して実施することができる。例えば、実施例では、グレーチング枠体の一側の側壁部に雑草抑制部を設けた場合、雑草抑制部が縁石ブロックと反対側の車道側となるように路面用排水溝を配設したが（図５参照）、図１４に示すように、雑草抑制部２０を縁石ブロックＢ側となるように路面用排水溝１０を配設してもよい。このように配設した場合、縁石ブロックＢと路面用排水溝１０の樋部１２との間の路面Ｒｂにおける雑草の繁殖を効果的に抑制することができるとともに、縁石ブロックＢの反対側（車道側）を通過する自動車等の荷重が雑草抑制部２０に作用しにくく、変形を大幅に抑制することができる。なお、図示のように、グレーチング枠体１１を固定するための第２取付固定部４３は路面Ｒｒ側となる他側の側壁部１４ｂに設けられ、雑草抑制部２０の第１垂直部２２はコンクリート層Ｍ１に当接される。
【符号の説明】
【００６２】
１０    路面用排水溝
１１    グレーチング枠体
１２    樋部
１３    底板部
１４    側壁部
１５    溝蓋
２０    雑草抑制部
２１    雑草抑制プレート
２２    第１垂直部
２３    第２垂直部
２４    嵩上げ壁部
２５    傾斜部
３０，３５    補強板
４０    取付固定部
５０    縁石載置部材
６０    高さ調節部材
Ｂ      縁石ブロック
Ｒ      路面
【図１】
0003191835.tif 000003
【図２】
0003191835.tif 000004
【図３】
0003191835.tif 000005
【図４】
0003191835.tif 000006
【図５】
0003191835.tif 000007
【図６】
0003191835.tif 000008
【図７】
0003191835.tif 000009
【図８】
0003191835.tif 000010
【図９】
0003191835.tif 000011
【図１０】
0003191835.tif 000012
【図１１】
0003191835.tif 000013
【図１２】
0003191835.tif 000014
【図１３】
0003191835.tif 000015
【図１４】
0003191835.tif 000016